(57)【要約】【課題】  特定の光ディスクであるか否かを精度良く判別することができる光ディスク装置を提供すること。【解決手段】  特定の光ディスク以外にはデータを書き込まない光ディスク装置２０であって、光ピックアップ２４、スピンドルモータ２２、装着された光ディスクに対して所定の波長の光を照射する光照射手段４０、４２、４４と、反射光を受光する受光手段４６と、受光手段４６が受光した反射光に基づいて、装着された光ディスクが特定の光ディスクか否かを判別する判別手段５２と、判別手段５２により光ディスクが特定の光ディスクではないと判別された場合には、データ書き込みを実行しないように制御する制御手段５４を具備し、制御手段５４は、光ディスクの判別時において、スピンドルモータＭの回転速さに応じて受光手段４６による反射光の受光時間を制御することを特徴とする。【選択図】        図１
2006228321.tif 000002
【特許請求の範囲】
【請求項１】
特定の光ディスク以外の光ディスクにはデータを書き込まないようにする光ディスク装置であって、
光ピックアップと、
スピンドルモータと、
装着された光ディスクに対して所定の波長の光を照射する光照射手段と、
光ディスクに前記所定の波長の光を照射したときの反射光を受光する受光手段と、
該受光手段が受光した、前記所定の波長の光を照射したときの光ディスクからの反射光に基づいて、装着されている光ディスクが前記特定の光ディスクか否かを判別する判別手段と、
該判別手段が装着されている光ディスクが前記特定の光ディスクではないと判別した場合には、データ書き込みを実行しないように制御する制御手段とを具備し、
該制御手段は、前記判別手段により装着された光ディスクの判別時において、前記スピンドルモータを回転させると共に、前記スピンドルモータの回転速さに応じて前記受光手段による前記所定の波長の光の受光時間を制御することを特徴とする光ディスク装置。
【請求項２】
前記制御手段は、装着した光ディスクの判別時において、光ディスクの回転速さを判別動作専用の回転速度になるように前記スピンドルモータの動作を制御することを特徴とする請求項１記載の光ディスク装置。
【請求項３】
前記スピンドルモータの回転数が等倍速度であることを特徴とする請求項２記載の光ディスク装置。  
【請求項４】
前記制御手段は、装着した光ディスクの判別時において、光ディスク１回転分に相当する時間においてのみ前記所定の波長の光による反射光を受光するように前記受光手段の動作を制御することを特徴とする請求項１〜３のうちのいずれか一項記載の光ディスク装置。
【請求項５】
前記制御手段は、装着した光ディスクの判別時において、前記光ピックアップからのレーザー光の照射を停止させるように前記光ピックアップの動作を制御することを特徴とする請求項１〜４のうちのいずれか一項記載の光ディスク装置。
【発明の詳細な説明】
【技術分野】
【０００１】
本発明は、光ディスクに対してデータの書き込みが可能な光ディスク装置に関し、より詳細には特定の光ディスクにのみデータの書き込みが可能な光ディスク装置に関する。
【背景技術】
【０００２】
データを書き込み可能なＣＤ−Ｒ、ＣＤ−ＲＷ、ＤＶＤ−ＲＡＭ、ＤＶＤ−Ｒ、ＤＶＤ−ＲＷ、ＤＶＤ+Ｒ、ＤＶＤ＋ＲＷ等の光ディスクは、容易に消費者が入手でき、消費者は光ディスク装置を用いて自らデータの書き込みを光ディスクに行うことが一般的である。
【０００３】
一方、喫茶店等におけるビジネスにおいては、店舗内に光ディスクへのデータ記録可能な光ディスク装置と、音楽等のコンテンツを予め記憶しているか、または、このようなコンテンツを提供するＷＥＢサイト上からダウンロード可能に設けたコンテンツ提供装置（例えばパーソナルコンピュータ）を設置し、入店した顧客に顧客の好きなコンテンツを有料で光ディスクに記録してもらうサービスの提供が検討されている。
【０００４】
かかるサービスでは、店舗側でコンテンツおよび光ディスクを有料で販売し、顧客は店舗側で販売した光ディスクを用いてコンテンツの記録を行うことを前提としている。
しかし、顧客が自ら持ち込んだ光ディスクにコンテンツを勝手に記録するような事態になると、店舗側での光ディスクの販売による利益を上げることができず、サービスが成り立たなくなる。
【０００５】
そこで、店舗側で販売する光ディスクには、一般に販売されている光ディスクとは異なる特性を持たせ、店舗に配設されているコンテンツ記録用の光ディスク装置ではこの特性から店舗側で販売した光ディスクであるか否かを判断し、店舗側で販売した光ディスクにのみコンテンツの記録が可能となるような機能を持たせることが望まれている。
【０００６】
一般に販売されている光ディスクとは異なる特性を有する光ディスクの例として、特許文献１や特許文献２に記載されているようなものが挙げられる。
特許文献１に開示されている光ディスクは、蛍光体微粒子を混入させた透明な特殊インクを用いて判別用のマークを光ディスク内に描いておき、所定波長の光を照射することにより、特殊インク中の蛍光体を発光させることでマークを浮かび上がらせ、特定の光ディスクであるか否かを判別しようとするものである。
【０００７】
また、特許文献２には、データ記憶用のカートリッジに対してカートリッジの種類に応じて異なる発光材料であるマーカーを設けておき、そのカートリッジがドライブでの使用に適しているか否かを識別する構成が開示されている。
【０００８】
【特許文献１】特開平７−１９２３８５号公報
【特許文献２】特表２００１−５１７８４７号公報
【発明の開示】
【発明が解決しようとする課題】
【０００９】
光ディスク材料に蛍光体を混入させた場合、蛍光体を発光させるべく何らかの波長の光（判別光）を照射し、且つ光ディスク内の蛍光体が発光した光を正確に検出する必要がある。
このような光ディスク装置においては、判別光の照射手段や、蛍光体が発光した光を検出するための受光手段を配設しなければならない。また、光ディスクに対する判別光の照射条件はすべての光ディスクに対して同一条件で照射しなければならないが、光ディスクの状態（キズや表面に付着しているホコリ等）によっては、判別光の照射条件が異なってしまい、特定の光ディスクであるか否かを正確に判別することができなくなるおそれがあった。
【００１０】
そこで、本発明の目的は、上記課題を解決すべくなされ、その目的とするところは、特定の光ディスクであるか否かを精度良く判別することができる光ディスク装置を提供することにある。
【課題を解決するための手段】
【００１１】
本発明にかかる光ディスク装置によれば、特定の光ディスク以外の光ディスクにはデータを書き込まないようにする光ディスク装置であって、光ピックアップと、スピンドルモータと、装着された光ディスクに対して所定の波長の光を照射する光照射手段と、光ディスクに前記所定の波長の光を照射したときの反射光を受光する受光手段と、該受光手段が受光した、前記所定の波長の光を照射したときの光ディスクからの反射光に基づいて、装着されている光ディスクが前記特定の光ディスクか否かを判別する判別手段と、該判別手段が装着されている光ディスクが前記特定の光ディスクではないと判別した場合には、データ書き込みを実行しないように制御する制御手段とを具備し、該制御手段は、前記判別手段により装着された光ディスクの判別時において、前記スピンドルモータを回転させると共に、前記スピンドルモータの回転速さに応じて前記受光手段による前記所定の波長の光の受光時間を制御することを特徴とする光ディスク装置である。
この構成を採用することによって、光照射手段から照射された所定の波長の光の受光条件が一定になり、光ディスクの判別処理毎に生じていた測定のばらつきを抑えることができるので、光ディスク判別を高い精度で実行することができる。
【００１２】
また、前記制御手段は、装着した光ディスクの判別時において、光ディスクの回転速さを判別動作専用の回転速度になるように前記スピンドルモータの動作を制御することを特徴とする。
また、前記スピンドルモータの回転数が等倍速度であることを特徴とする。
これらにより、スピンドルモータの発熱により生じる光照射手段の出力変化への影響や、受光手段の受光精度に与える影響を抑えることができるので、光ディスク判別処理の精度をさらに向上させることができる。
【００１３】
また、前記制御手段は、装着した光ディスクの判別時において、光ディスク１回転分に相当する時間においてのみ前記所定の波長の光による反射光を受光するように前記受光手段の動作を制御することを特徴とする。
これにより、短時間での光ディスクの判別処理ができると共に、光ディスクからの反射光のばらつきを平準化することができ、さらに正確な光ディスクの判別をすることが可能になる。
【００１４】
また、前記制御手段は、装着した光ディスクの判別時において、前記光ピックアップからのレーザー光の照射を停止させるように前記光ピックアップの動作を制御することを特徴とする。
これにより、光ディスクの判別処理時においては、光照射手段からの所定波長の光のみが光ディスクに照射されるため、余分な光が入ることがなく、正確な反射光の測定が可能になり、判別精度の向上につながる。
【発明の効果】
【００１５】
本発明にかかる光ディスク装置によれば、装着された光ディスクが特定の光ディスクである場合にのみデータの書き込みを実行する際において、装着した光ディスクの表面状態が均一でない場合であっても、判別光の照射による特定の光ディスクであるか否かの判定を、極めて精度良く判定することができる。
【発明を実施するための最良の形態】
【００１６】
以下、本発明にかかる好適な実施例を添付図面に基づいて説明する。
まず、本発明の光ディスク装置の構成を、図１に基づいて説明する。
光ディスク装置２０は、装着された光ディスク２１にデータ書き込み可能に設けられており、装着された光ディスク２１が特定の光ディスクか否かを判別し、特定の光ディスクである場合にのみデータ書き込み可能とする機能を有するものである。
【００１７】
まず、光ディスク装置２０における通常の動作を実行する構成要素について説明する。
光ディスク装置２０は、光ディスク２１を回転させるスピンドルモータ２２と、光ディスク２１にレーザー光を照射すると共に光ディスク２１から反射されたレーザー光を受光する光ピックアップ２４とを具備している。
光ピックアップ２４は、送りモータ２７の駆動によりスレッド軸２５上を光ディスク２１の径方向に移動可能に設けられている。光ピックアップ２４は、ＣＰＵ４８により制御される送り制御信号ｉに基づいて動作する送りモータ（ステッピングモータ）２７により、光ディスク２１に対する位置が設定される。
【００１８】
光ピックアップ２４で受光した光ディスク２１からのレーザー反射光強度信号ａは、ＲＦアンプ２６に出力される。ＲＦアンプ２６では、トラッキングエラー信号ｂ、フォーカスエラー信号ｃ、ウォブル信号ｄ等の各制御信号が生成される。
ＲＦアンプ２６で生成されたトラッキングエラー信号ｂ、フォーカスエラー信号ｃは、サーボプロセッサ２８に入力され、サーボプロセッサ２８はこれら制御信号に基づいて、光ピックアップ２４のトラッキングサーボ、フォーカスサーボを制御する。
ウォブル信号ｄは、ＰＬＬ回路３１に入力され、ＰＬＬ回路３１ではウォブル信号に基づいてデータ書き込み時に用いる同期信号ｅが生成される。同期信号ｅは、後述するエンコーダ３０に入力される。
【００１９】
光ディスク２１へ書き込むべきデータは、エンコーダ３０内に入力され、データのＥＦＭ変調やＥＦＭ＋変調等のエンコード処理がなされ、ＰＬＬ回路３１から入力された同期信号ｅに同期される。エンコーダ３０でエンコード処理されたデータは、レーザードライバ３２に入力される。レーザードライバ３２では、エンコードされたデータに基づいて光ピックアップ２４内のレーザーダイオードの駆動電流量を制御し、光ピックアップ２４にデータの書き込みを行なわせる。
【００２０】
光ディスク装置２０全体の動作は、ＣＰＵ４８が制御している。ＣＰＵ４８は、スピンドルモータ２２や、サーボプロセッサ２８その他の構成要素について、データ読み出し時やデータ書き込み時におけるそれぞれの動作を統括制御する。
【００２１】
以下、本発明に特有な構成要素について説明する。まず、特定の光ディスクについて説明する。
本実施例で想定している特定の光ディスクとは、光ディスクを構成する材料に蛍光体を混入させたものである。
蛍光体を混入させたことにより、特定の光ディスクに所定の波長の光（以下、判別光ということがある）を照射することによって該特定の光ディスクは発光する。この発光を検出することにより、光ディスクが特定の光ディスクであるか否かを判別することができる。
なお、特許請求の範囲および本明細書中でいう、所定の波長の光を照射した時の反射光とは、光ディスク２１において単に反射する光だけではなく、光ディスク２１中の蛍光体が生じた蛍光を含む概念である。
【００２２】
光ディスク装置２０内には、光ディスク２１に対して所定の波長の光（判別光）を照射するための光照射手段が設けられている。具体的には、ＵＶを照射するＵＶＬＥＤ４０と、白色光を照射する白色ＬＥＤ４２と、青色光を照射する青色ＬＥＤ４４とが設けられている。各ＬＥＤ４０，４２，４４は、装着された光ディスク２１の記録面側に光を照射できるように光ディスク２１に対して光ピックアップ２４と同一の側に設けられている。
【００２３】
光ディスク装置２０には、各ＬＥＤ４０，４２，４４が照射した光に対する光ディスク２１からの反射光を受光するために，カラーセンサの一例としてのＲＧＢセンサ４６が設けられている。
ＲＧＢセンサ４６は、赤（Ｒｅｄ）、緑（Ｇｒｅｅｎ）、青（Ｂｌｕｅ）の３色のそれぞれの光強度を検出可能な素子であって、フォトダイオードの受光面側に赤、緑、青のフィルタのいずれかが交換可能に配設されている。赤のフィルタが受光面側に配置されているときは赤色光の光強度を検出し、緑のフィルタが受光面側に配置されているときは緑色光の光強度を検出し、青のフィルタが受光面側に配置されているときは青色光の光強度を検出することができる。
【００２４】
各ＬＥＤ４０，４２，４４のそれぞれの照射のオン―オフ切り換えは、ＣＰＵ４８により制御されている。ＣＰＵ４８は、各ＬＥＤ４０，４２，４４に対してオン―オフ制御信号ｆを出力し、各ＬＥＤによる各色の光の照射を切り換えている。ＲＧＢセンサ４６の各色のフィルタの切り換え処理についてもＣＰＵ４８によって制御されている。すなわち、ＣＰＵ４８は所定のタイミングでフィルタ切換信号ｇをＲＧＢセンサ４６へ出力し、ＲＧＢセンサ４６が検出する光の色を選択している。
【００２５】
ＣＰＵ４８には、光ディスク判別用データが記憶されているＲＯＭ等の記憶手段５０が接続されている。
光ディスク判別用データとは、ＲＧＢセンサ４６が、光照射手段（ＵＶＬＥＤ４０、白色ＬＥＤ４２、青色ＬＥＤ４４）により照射された判別光による光ディスク２１からの反射光を受光したときの光強度の値にもとづいて、装着されている光ディスク２１が特定の光ディスクであると判定できる光強度の値に関するデータであって、予め算出して記憶手段５０に記憶されている。
【００２６】
さらに、ＣＰＵ４８には、ＲＧＢセンサ４６によって受光された各光強度の値を一旦記憶させておく受光結果記憶手段５５が設けられている。
受光結果記憶手段５５は、ＣＰＵ４８内部のメモリ領域であっても、ＣＰＵ外部に接続されているＲＡＭ等のメモリであってもよい。
【００２７】
なお、本実施例では、ＵＶ、白色および青色の３種類の光を光ディスク２１に照射した場合のそれぞれの反射光において、ＲＧＢセンサ４６により受光された赤色、緑色および青色の３色の光強度値の閾値が光ディスク判別用データとして記憶されている。
これを具体的に説明すると、この光ディスク判別用データは、ＵＶを光ディスク２１に照射して得られた反射光をＲＧＢセンサ４６において受光した赤色光、緑色光および青色光の光強度値の閾値、白色光を光ディスク２１に照射して得られた反射光をＲＧＢセンサ４６において受光した赤色光、緑色光および青色光の光強度値の閾値、ならびに青色光を光ディスク２１に照射して得られた反射光をＲＧＢセンサ４６において受光した赤色光、緑色光および青色光の光強度値の閾値からなる。
【００２８】
ＣＰＵ４８は、ＲＧＢセンサ４６で受光されたＵＶ、白色および青色の光を照射して得られた光ディスク２１からの反射光のそれぞれにおける赤色、緑色および青色の光強度値と、記憶手段５０に記憶されている各光強度値の閾値とを比較し、各色の受光強度値が閾値を越えている場合には特定の光ディスク２１であると判別する判別手段５２と、判別手段５２によって特定の光ディスクであると判別された場合にのみデータ書き込み可能とし、特定の光ディスク以外の光ディスクであると判別された場合にはデータ書き込みを実行しないように各構成要素を制御する制御手段５４とを備えている。
このような、判別手段５２および制御手段５４は、上記のような動作をするように記述され、予め記憶手段５０に記憶されている制御プログラムをＣＰＵ４８が読み込むことにより実行される。
【００２９】
また、上述したような特定の光ディスクであるか否かを判別するための機能としては、ディスク判別用データを用いて判別光を照射して得られた光ディスク２１からの反射光の光強度値を閾値と比較する方法だけではない。
例えば、図２に示すように、光ディスク２１がＣＤである場合、光ディスク２１の最内周に設けられているリードイン２９のＡＴＩＰ（Absolute Time In Pre-groove）には、製造メーカやディスクの種類といったＡＴＩＰ情報が光ディスク製造時に予め記録されているが、特定の光ディスクにはＡＴＩＰ情報に特定の光ディスクである旨のデータが記録されているはずなので、ＣＰＵ４８がこのＡＴＩＰ情報を読み込んで、判別手段５２がＡＴＩＰ情報を基に特定の光ディスクであるか否かを判別することもできる。
【００３０】
次に、光ディスク装置における特定の光ディスクの判別方法について、図３〜図５に基づいて説明する。
まず、ユーザが光ディスク２１を光ディスク装置２０内に挿入すると、図示しないトレイ等が駆動して光ディスク２１がスピンドルモータ２２の先端部のターンテーブルに装着される。これに伴い、ＣＰＵ４８は光ピックアップ２４に試しにレーザー光を照射させ、光ディスク２１からの反射光があった場合には、ＣＰＵ４８は光ディスク２１が装着されたことを検知する（ステップＳ１００）。
【００３１】
光ディスク２１が装着されたことが判明した場合には、ＣＰＵ４８は回転制御信号ｈを出力してスピンドルモータ２２を所定の回転速度（本実施の形態においては、等倍速度）で回転させる（ステップＳ１０２）と共に、送り制御信号ｉを出力して光ピックアップ２４の送りモータであるステッピングモータ２７を駆動させて光ピックアップ２４を光ディスク２１の最外周に移動させる（ステップＳ１０４）。
このように、光ピックアップ２４を光ディスク２１の最外周に移動させるのは、光ディスク装置の構造が図６に示すような構造になっているためである。図６に示すように、光照射手段であるＵＶＬＥＤ４０、白色ＬＥＤ４２および青色ＬＥＤ４４と、受光手段であるＲＧＢセンサ４６は、光ピックアップ２４の移動路線上に配設されており、光ピックアップ２４が移動することで、ＵＶＬＥＤ４０、白色ＬＥＤ４２および青色ＬＥＤ４４からの光の照射状態およびＲＧＢセンサ４６の受光状態に変化を生じてしまうおそれがある。一定条件で所定の波長の光を照射するためには、光ピックアップ２４を光照射手段であるＵＶＬＥＤ４０、白色ＬＥＤ４２および青色ＬＥＤ４４と、ＲＧＢセンサ４６から遠ざける必要がある。
【００３２】
また、送りモータにステッピングモータ２７を用いているのは、光ピックアップ２４のセット位置を精密に位置決めすることにより、光ディスク２１の判別条件を等しくするためである。光ピックアップ２４の位置が異なることによって、光ディスク２１への判別光の照射条件と、ＲＧＢセンサ４６による光ディスク２１からの反射光の受光条件に影響を与えるおそれがあるためである。
【００３３】
そして、ＣＰＵ４８は、光ディスク２１に対して白色光を照射するように白色ＬＥＤ４２にオン−オフ制御信号ｆを出力し、ＲＧＢセンサ４６に対しては、光ディスク２１に白色光を照射した際における反射光について赤色、緑色および青色の３色の光を受光するようにフィルタ切換信号ｇを出力する（ステップＳ１０６）。白色光照射時に、ＲＧＢセンサ４６が受光した各色における光強度の値は、ＣＰＵ４８が、受光結果記憶手段５５内に記憶させておく。
なお、ＲＧＢセンサ４６が、実際に受光する時間は、判別光の種類に関わらず、光ディスク２１を等倍速で回転させた際において、光ディスク２１が一周するのに要する時間と等しい時間に設定されている。適度な速度で光ディスク２１を回転させながら判別光による反射光をＲＧＢセンサ４６に受光させることにより、光ディスク２１からの判別光による反射光による受光データを平準化させることができ、光ディスク２１の局所的な損傷による、反射光のばらつきによる受光データのばらつきを抑えることができる。
【００３４】
光ディスク２１の判別処理時における光ディスク２１の回転速度（判別動作専用の回転速度）は、実際のデータの読み書き時における光ディスク２１の回転速度（通常、４８倍速程度）よりも低速（等倍速：約５００ｒｐｍ）で回転している。また、判別光による光ディスク２１からの反射光の受光時間も、光ディスク２１が一周する時間のみに制限されている。本実施の形態のように低速で光ディスク２１を回転させ、受光時間を短時間にすれば、各ＬＥＤ４０，４２，４４の発熱量やスピンドルモータ２２の発熱量を抑え、熱による反射光の受光データに与える影響を最小限に留めることができる。
【００３５】
次に、ＣＰＵ４８は、光ディスク２１に対してＵＶを照射するようにＵＶＬＥＤ４０にオン−オフ制御信号ｆを出力し、ＲＧＢセンサ４６に対しては、光ディスク２１にＵＶを照射した際における反射光について赤色、緑色および青色の３色の光を受光するようにフィルタ切換信号ｇを出力する（ステップＳ１０８）。
ＵＶ照射時に、ＲＧＢセンサ４６が受光した各色における光強度の値は、ＣＰＵ４８が、受光結果記憶手段５５内に記憶させておく。
【００３６】
そして、ＣＰＵ４８は、光ディスク２１に対して青色光を照射するように青色ＬＥＤ４０にオン−オフ制御信号ｆを出力し、ＲＧＢセンサ４６に対しては、光ディスク２１に青色光を照射した際における反射光について赤色、緑色および青色の３色の反射光強度を検出するようにフィルタ切換信号ｇを出力する（ステップＳ１１０）。
青色光照射時に、ＲＧＢセンサ４６が検出した各色における光強度の値は、ＣＰＵ４８が受光結果記憶手段内に記憶させておく。
【００３７】
このように、本実施例によるステップＳ１０６、Ｓ１０８およびＳ１１０の工程によって受光される光強度の値は９つである（図５参照）。
なお、ここでの例では、白色、ＵＶ、青色の順番にＬＥＤの光を光ディスク２１に照射させたが、本発明としては光ディスク２１に対して照射させる判別光の順番は、この順番に限定されるものではなく、どのような順番で照射させてもよい。
また、白色、ＵＶ、青色の各判別光を照射した時のＲＧＢセンサ４６による光ディスク２１からの反射光を色別に受光させる順番も、赤色、緑色、青色の順番で受光させることに限定されるものではなく、どのような順番で受光させるようにしてもよい。
【００３８】
そしてＣＰＵ４８は、送り制御信号ｉを出力してステッピングモータ２７を制御し、光ピックアップ２４を光ディスク２１の最内周に移動させる（ステップＳ１１２）。
さらにＣＰＵ４８は、光ピックアップ２４に光ディスク２１のリードイン２９に記録されているＡＴＩＰ情報を読み出させる（ステップＳ１１４）。ＡＴＩＰ情報は、ＲＦアンプ２６を介してＣＰＵ４８内に入力される。ＣＰＵ４８では入力されたＡＴＩＰ情報を解析して、当該光ディスク２１が特定の光ディスクであるか否かを判断する（ステップＳ１１６）。もしも、ＡＴＩＰ情報に特定の光ディスクである旨の記録がされていなければ（ステップＳ１１６のＮｏ側）、ＣＰＵ４８は、装着されている光ディスク２１は特定の光ディスクでは無いと判別する（ステップＳ１２１）。
ＣＰＵ４８がＡＴＩＰ情報を解析した結果、特定の光ディスクである旨の記録があれば（ステップＳ１１６のＹｅｓ側）、ステップＳ１１８へ移行する。
【００３９】
続いてＣＰＵ４８は、ステップＳ１０６、Ｓ１０８およびＳ１１０において予め測定して記憶させておいた、白色光、ＵＶおよび青色光を照射したときのＲＧＢセンサ４６により受光された赤色、緑色および青色の光強度値を受光結果記憶手段５５から取り出し、予め記憶させておいたディスク判別用データである各光強度値の閾値を記憶手段５０から取り出し、対応するそれぞれの値を比較する（ステップＳ１１８）。
比較の結果、測定した全ての光強度の値が閾値を越えている場合（ステップＳ１１８のＹｅｓ側）には、特定の光ディスクであると判別する（ステップＳ１２０）。
【００４０】
ＣＰＵ４８はステップＳ１１８において、受光結果記憶手段５５に記憶されている各判別光を照射して得られた反射光をＲＧＢセンサ４６により赤色、緑色および青色で受光した各色の光強度の値について、記憶手段５０から取り出した各色の光強度の閾値を越えないものが１つでも存在している場合（ステップＳ１１８のＮｏ側）には、特定の光ディスクでは無いと判別する（ステップＳ１２１）。
このように、ＡＴＩＰ情報では特定の光ディスクであると判別された場合であっても、実際にＵＶ、白色および青色のそれぞれの判別光を照射して反射光を測定することによって、判別の正確を期すことができる。
すなわち、通常の光ディスクに偽のＡＴＩＰ情報を記録し、蛍光体を混入させたように見た目の色を特定の光ディスクに模した偽特定光ディスクの製造も可能であるので、このような偽特定光ディスクを精度良く判別することができる。
【００４１】
なお、特定の光ディスクではないと判別された場合（ステップＳ１２１）には、ＣＰＵ４８の制御手段５４は、この光ディスクに対してはデータ書き込みをしないようにスピンドルモータ２２、光ピックアップ２４、エンコーダ３０等の各構成要素を制御する(ステップＳ１２３）。
【００４２】
一方、特定の光ディスクであると判別された場合（ステップＳ１２０）には、この光ディスクに対しては、ユーザの操作通りにデータの書き込みを実行すべく、ＣＰＵ４８の制御手段５４は、スピンドルモータ２２、光ピックアップ２４、エンコーダ３０等の各構成要素を制御する(ステップＳ１２２）。
【００４３】
以上に本発明について好適な実施例を挙げて種々説明したが、本発明はこの実施例に限定されるものではなく、発明の精神を逸脱しない範囲内で多くの改変を施し得るのはもちろんである。
例えば、上述してきた実施例においては、光ディスク２１の判別時において、光ピックアップ２４を光ディスク２１の最外周部分にセットする場合についてのみ説明したが、常に同じ条件で判別光による光ディスク２１からの反射光を受光することが可能であれば、光ピックアップ２４のセット位置は、装着された光ディスク２１に対して最外周位置に限定されることはない。
また、光ディスク２１の判別処理時における光ディスク２１の回転速度は、等倍速でなくてもよく、２〜４倍速程度の回転数でも良いし、等倍速より低倍速での回転とすることもできる。なお、光ディスク２１の回転速度に関わらず、判別光による反射光の受光時間は光ディスク２１が一周するのに要する時間と等しい時間であることが好ましい。
【図面の簡単な説明】
【００４４】
【図１】本発明にかかる光ディスク装置の内部構成を示すブロック図である。
【図２】光ディスクのリードイン領域について説明する光ディスクの断面図である。
【図３】特定の光ディスクか否かを判別する方法について説明するフローチャートである。
【図４】図３のフローチャートの続きである。
【図５】光ディスク判別のために光ディスク装置が検出する光の種類をまとめた説明図である。
【図６】光ディスクの内部構造を示す説明図である。
【符号の説明】
【００４５】
２０  光ディスク装置
２１  光ディスク
２２  スピンドルモータ
２４  光ピックアップ
２５  スレッド軸
２６  ＲＦアンプ
２７  送りモータ（ステッピングモータ）
２８  サーボプロセッサ
２９  リードイン
３０  エンコーダ
３１  ＰＬＬ回路
３２  レーザードライバ
４０  ＵＶＬＥＤ
４２  白色ＬＥＤ
４４  青色ＬＥＤ
４６  ＲＧＢセンサ
４８  ＣＰＵ
５０  記憶手段
５２  判別手段
５４  制御手段
５５  受光結果記憶手段
【図１】
2006228321.tif 000003
【図２】
2006228321.tif 000004
【図３】
2006228321.tif 000005
【図４】
2006228321.tif 000006
【図５】
2006228321.tif 000007
【図６】
2006228321.tif 000008